(57)【要約】      （修正有）【課題】主として、タオル、手拭い、膝掛け、Ｔシャツ、トートバッグ等、生地を用いてなる生地製品を対象に、製品価値や製品の使い勝手を損なうことなく、Ｗｅｂサイトの情報を入手することができる生地製品を提供する。【解決手段】日常生活に密接に関連するタオル等の生活製品として、生地を用いてなり、印刷された画像４が付された生地製品であり、画像４には、Ｗｅｂサイトの情報を入手可能な情報コード６が、外部に対し、隠された状態で埋め込まれている。画像４は、四角枠に収めた態様で形成されている。画像４は、印刷画像の原画５と、情報を入手可能な情報コード６とからなる。情報コード６は、原画５の画像データに処理して施されており、外部に対し、隠された状態で、画像４に埋め込まれている。【選択図】図２
0003227985.tif 000002
【実用新案登録請求の範囲】
【請求項１】
日常生活に密接に関連する生活製品として、生地を用いてなり、印刷された画像が付された生地製品において、
当該生地製品は、タオル、手拭い、膝掛け、Ｔシャツ、またはトートバッグのうち、いずれかに該当する製品であり、前記画像には、情報を入手可能な情報コードが、外部に対し、隠された状態で埋め込まれていること、
前記情報コードは、前記画像の画像データを複数のブロックに分割し、前記分割された画像データからブロックペアを抽出し、前記抽出したブロックペアに隣接する左右のブロックから、平均濃度にかかわる最小値と最大値を検出し、前記検出した最小値と最大値との差、及び最小値を基にして前記ブロックペアへの情報の埋め込み強度を設定し、前記ブロックペアに隣接する左右のブロックの平均濃度を加算した濃度を２で割ったものから、前記埋め込み強度を２で割ったものを足したり引いたりすることで、前記ブロックペアを構成する各ブロックの濃度の変更量を算出し、前記算出した変更量により、前記ブロックペアを構成する各ブロックの濃度を変更して情報を埋め込まれたものであること、
を特徴とする生地製品。
【請求項２】
請求項１に記載する生地製品において、
前記画像は、四角枠に収めた態様で形成されていること、
を特徴とする生地製品。
【請求項３】
請求項１または請求項２に記載する生地製品において、
前記画像は、インクジェットプリント、または転写プリントにより、施されていること、
を特徴とする生地製品。
【考案の詳細な説明】
【技術分野】
【０００１】
本考案は、日々の生活に密接に関連した種々の生活製品のうち、主としてタオル、手拭い、膝掛け、Ｔシャツ、トートバッグ等、生地を用いてなる製品を対象とした生地製品に関する。
【背景技術】
【０００２】
タオルは、日常生活の中で欠かさず使用される必需品の一つであることから、市場に数多く流通しており、贈答品や土産、ノベルティー等としても、幅広く取り扱われている。タオルの市場は、このように大きいため、販売者は、クオリティーの高い生地を用いたタオルや、生地に施す色彩やデザイン、プリント画像等に工夫を凝らしてオリジナリティーを追求したタオル等を、市場に供給することで、販売する商品の差別化を図っている。
【０００３】
そのオリジナル商品の一つに、例えば、二次元コードを付与したタオルが、開発されている。このタオルには、ＱＲコード（株式会社デンソーウェーブの登録商標）を印刷したタグが、縫製により、生地の端部（耳）に取付けられている。タオルの使用者は、周知のコードリーダにより、ＱＲコードを読み込ませることで、予め設定されたＷｅｂコンテンツにアクセスして、必要な情報を入手することができる。
【０００４】
なお、この二次元コード付きタオルは、提供者側のホームページ（https://sikoku.co.jp/）に開示され、公然実施されたタオルであり、提供者側のホームページによると、特許出願済み（特願２０１９−１４８８２４）となっている。しかしながら、この出願の公開特許公報は、本願の出願時点では、未公開であるため、先行技術文献は、開示できず省略する。
【考案の概要】
【考案が解決しようとする課題】
【０００５】
タオルや衣服等には一般的に、生地の材質や洗濯表示等を記したタグが、生地に縫製して取付けられているが、タグが皮膚に接触すると、チクチクとした痒みや痛み等の不快感を招く虞もあり、タオル等の使用者の中には、タグを切り取ってしまう人もいる。他方、例示した二次元コード付きタオルでは、ＱＲコードを印刷したタグが、生地に縫製して取付けられている。そのため、Ｗｅｂサイトの情報を入手するにあたり、タグの皮膚への接触を嫌うタオルの使用者にとって、二次元コード付きタオルの使い勝手は良くない。
【０００６】
また、二次元コード付きタオルが、特にギフトや土産等、見た目も重視される用途で取り扱われるような場合、ＱＲコード付きのタグが、生地の材質等を記したタグと共に、余分に付加して生地に縫製されていると、タオル全体の意匠に悪影響が生じる虞もある。特に、ＱＲコードが、生地に縫製されたタグに直接印刷されているため、ＱＲコード特有のコード模様が、タオルの使用者等に視認できてしまう。これにより、意匠に工夫を凝らして形成されたタオル本体に、ＱＲコード付きのタグが取付けられていることに起因して、タオル全体の見栄えが悪くなり、タオル全体で、製品価値の低下を招く虞もあった。
【０００７】
本考案は、上記問題点を解決するためになされたものであり、主として、タオル、手拭い、膝掛け、Ｔシャツ、トートバッグ等、生地を用いてなる生地製品を対象に、製品の使い勝手や製品価値を損なうことなく、Ｗｅｂサイトの情報を入手することができる生地製品を提供することを目的とする。
【課題を解決するための手段】
【０００８】
上記目的を達成するために、本考案に係る生地製品は、以下の構成を有する。
（１）日常生活に密接に関連する生活製品として、生地を用いてなり、印刷された画像が付された生地製品において、当該生地製品は、タオル、手拭い、膝掛け、Ｔシャツ、またはトートバッグのうち、いずれかに該当する製品であり、前記画像には、情報を入手可能な情報コードが、外部に対し、隠された状態で埋め込まれていること、前記情報コードは、前記画像の画像データを複数のブロックに分割し、前記分割された画像データからブロックペアを抽出し、前記抽出したブロックペアに隣接する左右のブロックから、平均濃度にかかわる最小値と最大値を検出し、前記検出した最小値と最大値との差、及び最小値を基にして前記ブロックペアへの情報の埋め込み強度を設定し、前記ブロックペアに隣接する左右のブロックの平均濃度を加算した濃度を２で割ったものから、前記埋め込み強度を２で割ったものを足したり引いたりすることで、前記ブロックペアを構成する各ブロックの濃度の変更量を算出し、前記算出した変更量により、前記ブロックペアを構成する各ブロックの濃度を変更して情報を埋め込まれたものであること、を特徴とする。
（２）（１）に記載する生地製品において、前記画像は、四角枠に収めた態様で形成されていること、を特徴とする。
（３）（１）または（２）に記載する生地製品において、前記画像は、インクジェットプリント、または転写プリントにより、施されていること、を特徴とする。
【考案の効果】
【０００９】
上記構成を有する本考案の生地製品の作用・効果について説明する。
（１）日常生活に密接に関連する生活製品として、生地を用いてなり、印刷された画像が付された生地製品において、当該生地製品は、タオル、手拭い、膝掛け、Ｔシャツ、またはトートバッグのうち、いずれかに該当する製品であり、画像には、情報を入手可能な情報コードが、外部に対し、隠された状態で埋め込まれていること、情報コードは、画像の画像データを複数のブロックに分割し、分割された画像データからブロックペアを抽出し、抽出したブロックペアに隣接する左右のブロックから、平均濃度にかかわる最小値と最大値を検出し、検出した最小値と最大値との差、及び最小値を基にしてブロックペアへの情報の埋め込み強度を設定し、ブロックペアに隣接する左右のブロックの平均濃度を加算した濃度を２で割ったものから、埋め込み強度を２で割ったものを足したり引いたりすることで、ブロックペアを構成する各ブロックの濃度の変更量を算出し、算出した変更量により、ブロックペアを構成する各ブロックの濃度を変更して情報を埋め込まれたものであること、を特徴とする。
【００１０】
この特徴により、使用者が、例えば、所有するスマートフォン等、携帯型端末にある専用コードリーダを、画像にかざして情報コードを読み込むだけで、Ｗｅｂサイト上のコンテンツや、予め設定登録した動画等の情報を、簡単に入手することができる。そのため、本考案に係る生地製品は、使用者にとって、使用する上で、必要な情報を手軽に入手できる機能や、使用者に娯楽性を供する機能等を有するようになることから、製品ベースとなる製品本体部単体に比べて、付加価値を高めた製品となり得る。
【００１１】
また、本考案に係る生地製品がタオルの場合、情報コードが、画像に埋め込まれているため、使用者が、Ｗｅｂサイト上のコンテンツや、予め設定登録した動画等の情報を入手するにあたり、背景技術で前述したように、ＱＲコードを付したタグは、不要である。そのため、本考案の生地製品では、ＱＲコード付きのタグによる皮膚への接触も全くないため、皮膚へのタグの接触を嫌う使用者にとっても、不快感なく、本考案の生地製品を使用することができ、この生地製品の使い勝手も良い。
【００１２】
従って、本考案に係る生地製品によれば、主として、タオル、手拭い、膝掛け、Ｔシャツ、トートバッグ等、生地を用いてなる生地製品を対象に、製品の使い勝手や製品価値を損なうことなく、Ｗｅｂサイトの情報を入手することができる、という優れた効果を奏する。
【００１３】
（２）に記載する生地製品において、前記画像は、四角枠に収めた態様で形成されていること、を特徴とする。
【００１４】
この特徴により、携帯型端末等の専用コードリーダは、画像上の情報コードを、より確実に読み込むことができる。
【００１５】
（３）に記載する生地製品において、画像は、インクジェットプリント、または転写プリントにより、施されていること、を特徴とする。
【００１６】
この特徴により、生地の素材が繊維類である場合にも、情報コードを埋め込んだ画像を、生地に直接印刷することが可能になる。
【図面の簡単な説明】
【００１７】
【図１】実施形態の実施例１に係る生地製品として、情報コード付きハンドタオルを示す平面図である。
【図２】実施形態に係る生地製品の情報コードの機能を説明する模式図である。
【図３】実施形態の実施例２に係る生地製品として、情報コード付きＴシャツを示す平面図である。
【図４】実施形態の実施例３に係る生地製品として、情報コード付きトートバッグを示す平面図である。
【図５】実施形態の実施例４に係る生地製品として、情報コード付き手拭いを示す平面図である。
【図６】実施形態の実施例５に係る生地製品として、情報コード付き膝掛けを示す平面図である。
【図７】実施形態に係る生地製品に情報コードを埋め込むのにあたり、処理する画像データ処理装置の概念を説明するための説明図である。
【図８】図７に続き、画像データ処理装置の構成を示す機能ブロック図である。
【図９】図８中、エンコード部の構成を示す機能ブロック図である。
【図１０】原画像データの一例を示す図である。
【図１１】埋め込みデータの一例を示す図である。
【図１２】分割画像データの一例を示す図である。
【図１３】埋め込み強度特定テーブルの一例を示す図である。
【図１４】図８中、デコード部の構成を示す機能ブロック図である。
【図１５】ＢＣＨデータ変換部の処理を説明するための説明図である。
【図１６】参考形態として、情報コードを埋め込んだ画像が、包装資材に付されたタオルセットのパッケージを示す図である。
【考案を実施するための形態】
【００１８】
以下、本考案に係る生地製品について、実施形態を図面に基づいて詳細に説明する。本考案に係る生地製品は、タオル、手拭い、膝掛け、Ｔシャツ、またはトートバッグのいずれかに該当する製品を対象として、生地を用いてなり、印刷した画像を有した製品である。
【００１９】
はじめに、タオルの概要について、簡単に説明する。タオルは、周知の通り、日常生活に密接に関連した生活製品であり、一般的には、日常生活上の必需品として、そのまま販売されているほか、贈答品や土産、ノベルティー等としても、幅広く取り扱われている。タオルの種類には、大別して、フェイスタオル、ハンドタオル、ハンカチタオル、ウォッシュタオル、バスタオル、スポーツタオル、マフラータオル等があり、これらの種のタオルは、用途に応じて、使い分けられている。
【００２０】
また、タオルには、生地の織り方に応じて、タオル織りでタオル生地を形成したパイルタオルや、ジャガード織りでタオル生地を形成したジャガードタオルのほか、タオル生地に施した表面加工に応じて、パイルの輪奈をカットしたシャーリングタトルや、画像、柄、イラスト等をタオル生地にプリントしたプリントタオル等がある。ハンドタオルや、ハンカチタオル等は、プリントタオルとしても、市場に数多く流通している。
【００２１】
次に、本実施形態に係る生地製品について、実施例１〜５を挙げて説明する。
【００２２】
＜実施例１＞
図１は、実施例１に係る生地製品として、情報コード付きハンドタオルを示す平面図である。実施例１に係る生地製品１は、図１に示すように、情報コード付きタオル１Ａである。情報コード付きタオル１Ａは、タオル本体部２Ａ（製品本体部２）と、画像４とを有してなる。タオル本体部２Ａは、一例として、周知技術により構成されたハンドタオルである。
【００２３】
タオル本体部２Ａの生地３の表面状態は、例えば、パイル地、シャーリング地、表ガーゼ織地、朱子織地、ワッフル織地、無撚糸地等となっている。生地３の材質は、特に限定するものではないが、綿糸、麻等のように、インクジェットプリントや転写プリントを可能とした素材である。画像４は、タオル本体部２Ａ内の任意の配置位置に、インクジェットプリント、または転写プリントにより、四角枠に収めた態様で、本実施例１では、生地３に直に印刷されている。
【００２４】
なお、パイル地、シャーリング地、表ガーゼ織地、朱子織地、無撚糸地のように、生地３が、比較的凹凸の小さい略平坦な表面状態であれば、インクジェットプリント、または転写プリントによる画像４を、生地３に直接印刷することは可能である。しかしながら、ワッフル織地のように、生地３が、比較的高低差の大きい凹凸を有した表面状態であると、画像４が、生地３に直接印刷できない場合もある。この場合を含め、画像４を直に生地３に印刷しないような場合には、画像４の印刷が可能な被印刷媒体を、生地３の一部の表面上に設けることで、この被印刷媒体上に、画像４が生地製品に施されていても良い。
【００２５】
図２は、実施形態に係る生地製品の情報コードの機能を説明する模式図である。画像４は、四角枠に収めた態様で形成されている。画像４は、図２に示すように、印刷画像の原画５と、情報を入手可能な情報コード６とからなる。情報コード６は、原画５の画像データに処理して施されており、外部に対し、隠された状態で、画像４に埋め込まれている。情報コード６に関する説明は、後述する。
【００２６】
＜実施例２＞
図３は、実施形態の実施例２に係る生地製品として、情報コード付きＴシャツを示す平面図である。実施例２に係る生地製品１は、図３に示すように、情報コード付きＴシャツ１Ｂである。情報コード付きＴシャツ１Ｂは、Ｔシャツ本体部２Ｂ（製品本体部２）と、画像４とを有してなる。Ｔシャツ本体部２Ｂは、周知技術により構成されたＴシャツであり、Ｔシャツ本体部２Ｂの生地３の材質は、例えば、綿等である。画像４は、Ｔシャツ本体部２Ｂ内の任意の配置位置に、四角枠に収めた態様で、インクジェットプリント、または転写プリントにより、生地３に直に印刷されている。
【００２７】
なお、本実施例２では、画像４は、生地３に直に印刷されているが、例えば、生地３の一部の表面に設けられた中間的な被印刷媒体の表面等に印刷されていても良く、このような画像４が、本考案に係る生地製品に備えていれば良い。
【００２８】
＜実施例３＞
図４は、実施形態の実施例３に係る生地製品として、情報コード付きトートバッグを示す平面図である。実施例３に係る生地製品１は、図４に示すように、情報コード付きトートバッグ１Ｃである。情報コード付きトートバッグ１Ｃは、トートバッグ本体部２Ｃ（製品本体部２）と、画像４とを有してなる。トートバッグ本体部２Ｃは、周知技術により構成されたトートバッグである。トートバッグ本体部２Ｃの生地３は、例えば、綿や麻等の太番手糸により平織物状に形成されたキャンバス生地、ナイロン、なめし革等を素材とした厚手の生地である。画像４は、トートバッグ本体部２Ｃ内の任意の配置位置に、四角枠に収めた態様で、インクジェットプリント、または転写プリントにより、生地３に直に印刷されている。
【００２９】
＜実施例４＞
図５は、実施形態の実施例４に係る生地製品として、情報コード付き手拭いを示す平面図である。実施例４に係る生地製品１は、図５に示すように、情報コード付き手拭い１Ｄである。情報コード付き手拭い１Ｄは、手拭い本体部２Ｄ（製品本体部２）と、画像４とを有してなる。手拭い本体部２Ｄは、周知技術により構成された手拭いである。手拭い本体部２Ｄの生地３は、平織りした木綿製の布生地である。画像４は、手拭い本体部２Ｄ内の任意の配置位置に、四角枠に収めた態様で、インクジェットプリント、または転写プリントにより、生地３に直に印刷されている。
【００３０】
＜実施例５＞
図６は、実施形態の実施例５に係る生地製品として、情報コード付き膝掛けを示す平面図である。実施例５に係る生地製品１は、図６に示すように、情報コード付き膝掛け１Ｅである。情報コード付き膝掛け１Ｅは、膝掛け本体部２Ｅ（製品本体部２）と、画像４とを有してなる。膝掛け本体部２Ｅは、周知技術により構成された膝掛けである。膝掛け本体部２Ｅの生地３は、特に材質を限定しないが、例えば、綿、毛、ポリエステル等のように、インクジェットプリントや転写プリントを可能とした素材である。画像４は、膝掛け本体部２Ｅ内の任意の配置位置に、四角枠に収めた態様で、インクジェットプリント、または転写プリントにより、生地３に直に印刷されている。
【００３１】
次に、本実施形態に係る生地製品１に用いる情報コード６について、詳細に説明する。情報コード６は、画像の画像データを複数のブロックに分割し、分割された画像データからブロックペアを抽出し、抽出したブロックペアに隣接する左右のブロックから、平均濃度にかかわる最小値と最大値を検出し、検出した最小値と最大値との差、及び最小値を基にしてブロックペアへの情報の埋め込み強度を設定し、ブロックペアに隣接する左右のブロックの平均濃度を加算した濃度を２で割ったものから、埋め込み強度を２で割ったものを足したり引いたりすることで、ブロックペアを構成する各ブロックの濃度の変更量を算出し、算出した変更量により、ブロックペアを構成する各ブロックの濃度を変更して情報を埋め込まれたものである。
【００３２】
このような情報コード６を原画５に埋め込むのにあたり、処理する情報埋め込み装置の一例として、本実施形態では、画像データ処理装置が用いられる。そこでまず、画像データ処理装置の概念について、簡単に説明した後、情報コード６について、詳述する。
【００３３】
図７は、実施形態に係る生地製品に情報コードを埋め込むのにあたり、処理する画像データ処理装置の概念を説明するための説明図である。図７に示すように、画像データ処理装置は、情報を原画像データ（情報の埋め込み先となる画像データ）に埋め込む場合には、情報を埋め込む領域（以下、埋め込み領域と表記する）の色が特定色または略特定色（例えば、白、灰色など）か否かを判定する。
【００３４】
そして、画像データ処理装置は、埋め込み領域の色が特定色、または略特定色でないと判定した場合に、埋め込み領域の複雑さを検出し、この複雑さに応じて埋め込み強度を調整して、埋め込み領域に所定の情報を埋め込む。ここで、埋め込み強度は、埋め込み領域の画像を変化させる変更量の大きさを示し、埋め込み強度が大きいほど、変更量が大きくなる。
【００３５】
このように、画像データ処理装置は、埋め込み領域が特定色である場合には、この領域に対する情報の埋め込みを行わないので、画質が低下することを防止することができる。
【００３６】
また、画像データ処理装置は、埋め込み領域が特定色で無い場合に、この領域の複雑さに応じて埋め込み強度を設定し、情報を埋め込むので、画像データの画質低下を防止すると共に、デコード時の成功率を高めることができる。
【００３７】
次に、画像データ処理装置の構成について、図８を用いて説明する。図８は、図７に続き、画像データ処理装置の構成を示す機能ブロック図である。図８に示すように、画像データ処理装置５０は、インターフェース部６０と、エンコード部１００、デコード部２００を有する。また、この画像データ処理装置５０は、キーボード、マウス、スキャナ等の入力装置１０と、ディスプレイ等の表示装置２０に接続されている。
【００３８】
インターフェース部６０は、入力装置１０から入力される情報を、エンコード部１００、またはデコード部２００に転送する処理部である。また、インターフェース部６０は、エンコード部１００、またはデコード部２００から出力される情報を、表示装置２０に転送する。
【００３９】
エンコード部１００は、入力装置１０から入力される原画５（図６参照）の原画像データに、所定の情報を埋め込む処理部である。図９は、図８中、エンコード部の構成を示す機能ブロック図である。図９に示すように、エンコード部１００は、データ受付部１１０と、ＢＣＨ（Bose Chaudhuri Hocquenghem）データ変換部１２０と、分割処理部１３０と、埋め込み処理部１４０と、記憶部１５０とを有する。
【００４０】
図１０は、原画像データの一例を示す図であり、図１１は、埋め込みデータの一例を示す図である。データ受付部１１０は、入力装置１０から原画像データを取得した場合には、取得した原画像データを分割処理部１３０に渡し、入力装置１０から原画像データに埋め込むデータ（以下、埋め込みデータと表記する）を取得した場合には、取得した埋め込みデータをＢＣＨ変換部１２０に渡す処理部である。
【００４１】
ＢＣＨデータ変換部１２０は、ｘビットからなる埋め込みデータを、誤り訂正符号（例えば、ＢＣＨ符号）を用いてエンコードし、誤り訂正符号用コードを生成する処理部である。
【００４２】
誤り訂正符号用コードは、埋め込みデータ（ｘビット）と、当該埋め込みデータおよび所定の計算式から計算された冗長ビット（ｙビット）から構成されており、合計（ｘ＋ｙビット）で構成されている。すなわち、誤り訂正符号用コードにエラーが発生しても、誤り訂正により、元の埋め込みデータを復元することができる。なお、ＢＣＨデータ変換部１２０は、生成した誤り訂正符号用コードを埋め込み処理部１４０に渡す。
【００４３】
図１２は、分割画像データの一例を示す図である。分割処理部１３０は、データ受付部１１０から原画像データを取得し、取得した原画像データを、図１２に示すように、Ｎ行×Ｍ行のブロックに分割し、この分割した原画像データ（以下、分割画像データと表記する）を埋め込み処理部１４０に渡す処理部である。
【００４４】
図１２に示すように、この分割画像データは、ブロックＢl11、Ｂr11、・・・Ｂl18、Ｂr18、・・・、Ｂl168、Ｂr168という２５６のブロックから構成されている。なお、図１２に示す分割画像データは一例であり、どのように原画像データを分割しても構わない。
【００４５】
埋め込み処理部１４０は、分割処理部１３０から分割画像データを取得し、この分割画像データに誤り訂正符号用コードを埋め込む処理部である。ここで、具体的に埋め込み処理部１４０の処理について説明すると、まず、埋め込み処理部１４０は、分割画像データからブロックペアを抽出し、抽出したブロックペア内の画素レベルがＲＧＢ（Red Green Blue）共に全て、一定値以上（例えば、２００以上）か否かを判定し、一定値以上の場合には、情報を埋め込まないと判定し、次のブロックペアを抽出する。
【００４６】
ここで、ブロックペアは、ブロックＢl11及びＢr11、・・・Ｂl18及びＢr18、・・・、Ｂl168及びＢr168という二つのブロックから構成されている。埋め込み処理部１４０は、ブロックＢl11及びＢr11、・・・Ｂl18及びＢr18、・・・、Ｂl168及びＢr168の順で、各ブロックペアを抽出する。
【００４７】
埋め込み処理部１４０は、抽出したブロックペア内の画素レベルが、一定値より小さいと判定した場合には、当該ブロックペアの各ブロックにかかわるＢの平均濃度（ＲＧＢ値のBlueにかかる平均濃度）と、埋め込み強度特定テーブル１５０ａとを基にして、埋め込み強度を設定し、所定の情報（対応する誤り訂正符号用コード「１」または「０」）をブロックペアに埋め込む。
【００４８】
図１３は、埋め込み強度特定テーブルの一例を示す図である。図１３に示すように、埋め込み強度特定テーブル１５０ａは、縦軸に最小値（ブロックペアの各ブロックにおいて、Ｂの平均濃度が小さいほうの値）と、横軸に最小値と最大値との差（ブロックペアの各ブロックのＢにかかわる最大階調レベルと最小階調レベルの差）とを基にして、埋め込み強度を特定するためのテーブルである。
【００４９】
ここで、ブロックペアＢl11及びＢr11を例に挙げて、説明する（但し、ブロックペアＢl11及びＢr11のＲＧＢ値は、２００より小さいものとする）と、まず、埋め込み処理部１４０は、ブロックＢl11とＢr11の２つのブロックから最大階調レベルと最小階調レベルを検出し、埋め込み強度を設定する。例えば、ブロックＢl11とブロックＢr11のＢの最小濃度が「２０」、最大濃度が「４０」とすると、図１３に示す埋め込み強度特定テーブル１５０ａより、埋め込み強度は、「２５」となる。
【００５０】
そして、埋め込み処理部１４０は、ブロックペアに埋め込む情報（１または０）に基づいて、ブロックペアＢl11及びＢr11のＢの平均濃度を変更する。例えば、ブロックペアＢl11及びＢr11に「１」を埋め込む場合には、
Ｎｌ＝（Ｂｌ＋Ｂｒ）／２＋Ｄ／２
Ｎｒ＝（Ｂｌ＋Ｂｒ）／２−Ｄ／２
の式によって算出される平均濃度に、各ブロックの平均濃度を変更する。
【００５１】
ここで、上記した符号の説明を行うと、「Ｎｌ」がブロックペアの左側のブロックにかかわる平均濃度(情報埋め込み後)、「Ｎｒ」がブロックペアの右側のブロックにかかわる平均濃度（情報埋め込み後）、「Ｂｌ」が左側のブロックにかかわる平均濃度（情報埋め込み前）、「Ｂｒ」が右側のブロックにかかわる平均濃度（情報埋め込み前）、「Ｄ」は埋め込み強度を示す。
【００５２】
具体的に、ブロックＢl11の平均濃度（情報埋め込み前）が「Ｂｌ＝２０」、ブロックＢr11の平均濃度（情報埋め込み前）が「Ｂｒ＝４０」、埋め込み強度が「Ｄ＝２５」のブロックペアＢl11及びＢr11に情報「１」を埋め込む場合には、Ｎｌが「４２．５」、Ｎｒが「１７．５」となるため、ブロックＢl11のＢの平均濃度を「４２．５」に変更し、ブロックＢr11のＢの平均濃度を「１７．５」に変更する。
【００５３】
すなわち、ブロックペアに「１」を埋め込む場合には、左ブロックの平均濃度よりも右ブロックの平均濃度を小さくし、かつその差が埋め込み強度（この例では２５）となるように平均濃度を変更する。
【００５４】
一方、ブロックペアＢl11およびＢr11に「０」を埋め込む場合には、
Ｎｌ＝（Ｂｌ＋Ｂｒ）／２−Ｄ／２
Ｎｒ＝（Ｂｌ＋Ｂｒ）／２＋Ｄ／２
の式によって算出される平均濃度に、各ブロックの平均濃度を変更する。
【００５５】
具体的に、ブロックＢl11の平均濃度（情報埋め込み前）が「Ｂｌ＝２０」、ブロックＢr11の平均濃度（情報埋め込み前）が「Ｂｒ＝４０」、埋め込み強度が「Ｄ＝２５」のブロックペアＢl11及びＢr11に情報「０」を埋め込む場合には、Ｎｌが「１７．５」、Ｎｒが「４２．５」となるため、ブロックＢl11のＢの平均濃度を「１７．５」に変更し、ブロックＢr11のＢの平均濃度を「４２．５」に変更する。
【００５６】
すなわち、ブロックペアに「０」を埋め込む場合には、右ブロックの平均濃度よりも左ブロックの平均濃度を小さくし、かつその差が埋め込み強度（この例では２５）となるように平均濃度を変更する。
【００５７】
なお、埋め込み処理部１４０は、ブロックペアに情報を埋め込む場合に、Ｎｌ、Ｎｒ、Ｂｌ、Ｂｒ、Ｄの各値が、
Ｎｌ＜Ｎｒ∧Ｂｌ＜Ｂｒ∧Ｂｒ−Ｂｌ＞Ｄ
の条件式、または
Ｎｌ＞Ｎｒ∧Ｂｌ＞Ｂｒ∧Ｂｌ−Ｂｒ＞Ｄ
の条件式を満たす場合には、このブロックペアに対する情報埋め込みを実行しない。
【００５８】
すなわち、上記条件式のいずれかを満たすということは、情報を埋め込む前の各ブロックにかかわる平均濃度によって特定される情報と、情報を埋め込んだ後の各ブロックにかかわる平均濃度によって特定される情報とが一致するため、各ブロックの平均濃度を変更する必要がないことを示す。
【００５９】
埋め込み処理部１４０は、分割画像データの各ブロックペアに、誤り訂正符号用コード用の情報を埋め込んだ後に（以下、誤り訂正符号用コードが埋め込まれた分割画像データを埋め込み画像データと表記する）、埋め込み画像データを表示装置２０に表示させる、または図示しないプリンタなどに埋め込み画像データの画像を印刷させる。
【００６０】
なお、図１２に示した分割画像データは、１行あたり、８つのペアブロック（１６ブロック）であるため、８ビット分のコードを表す。従って、全行（１６行）では、１２８ビット分のコードを表す。すなわち、誤り訂正符号用コードが１５ビットの場合には、分割画像データに最大８回、埋め込みが可能となる。
【００６１】
図８の説明に戻ると、デコード部２００は、入力装置１０から埋め込み画像データを取得し、取得した埋め込み画像データから埋め込みデータを抽出する処理部である。図１４は、図８中、デコード部の構成を示す機能ブロック図である。図１４に示すように、デコード部２００は、分割処理部２１０と、数値化処理部２２０と、ＢＣＨデータ変換部２３０とを有する。
【００６２】
分割処理部２１０は、入力装置１０から埋め込み画像データを取得し、取得した埋め込み画像データをＮ行×Ｍ行のブロックに分割し、この分割した埋め込み画像データを数値化処理部２２０に渡す処理部である。
【００６３】
数値化処理部２２０は、分割処理部２１０から分割された埋め込み画像データを取得し、この埋め込み画像データのブロックペア毎の情報を抽出し、抽出した情報を候補誤り訂正符号用コード群として、ＢＣＨデータ変換部２３０に渡す処理部である。
【００６４】
具体的に、この数値化処理部２２０は、埋め込み画像データのブロックペアを抽出し、左右のブロックに含まれるＢの平均濃度の値を基にして、当該ブロックペアに埋め込まれた情報を検出する。
【００６５】
数値化処理部２２０は、左右のブロックのＢにかかる平均濃度の差の絶対値が所定の閾値に含まれ、かつ、左側のＢの平均濃度のほうが右側のＢの平均濃度よりも大きい場合に、このブロックペアには情報「１」が埋め込まれていると判定する。
【００６６】
一方、数値化処理部２２０は、左右のブロックのＢにかかる平均濃度の差の絶対値が所定の閾値に含まれ、かつ、右側のＢの平均濃度のほうが左側のＢの平均濃度以上の場合には、このブロックペアには情報「０」が埋め込まれていると判定する。
【００６７】
なお、数値化処理部２２０は、左右のブロックのＢにかかる平均濃度の差の絶対値が所定の閾値に含まれていない場合には、このブロックペアに埋め込まれた情報を判断できないため、「２（不確定）」とする。
【００６８】
ＢＣＨデータ変換部２３０は、数値化処理部２２０から候補誤り訂正符号用コード群を取得し、取得した候補誤り訂正符号用コード群を基にして、埋め込み情報を抽出する処理部である。
【００６９】
図１５は、ＢＣＨデータ変換部の処理を説明するための説明図である。図１５に示すように、まず、ＢＣＨデータ変換部２３０は、候補誤り訂正符号用コード群に含まれる候補誤り訂正符号用コードＣＥ1〜ＣＥ8から各ビット単位で多数決をとり、各ビット（全１５ビット）を確定させ、誤り訂正符号用コードＣＥ’とする。
【００７０】
ここで、多数決について説明すると、例えば、各候補誤り訂正符号用コードＣＥ1〜ＣＥ8の先頭ビットは、「１」が５個含まれ、「０」が２個含まれ、「２」が１個含まれるため、多数決の結果、誤り訂正符合用コードＣＥ’の先頭ビットは「１」となる。以下の方法を利用して、誤り訂正符合用コードＣＥ’の各ビットを確定していく。
【００７１】
そして、ＢＣＨデータ変換部２３０は、候補誤り訂正符号用コードＣＥ1〜ＣＥ8において「２（不確定）」のビットを、誤り訂正符号用ビットＣＥ’に対応するビットに置換するという補完処理を実行し、候補誤り訂正符号用コードＣＥ1’〜ＣＥ8’（補完後の候補誤り訂正符号用コード群）を得る。
【００７２】
また、ＢＣＨデータ変換部２３０は、補完後の候補誤り訂正符号用コードＣＥ1’〜ＣＥ8’のそれぞれについて、誤り訂正符号デコード処理（例えば、ＢＣＨ符号に基づくデコード処理）を実行し、埋め込みデータおよびエラー数を得る。エラー数は、誤り訂正符号用コードＣＥ1’〜ＣＥ8’のそれぞれにおけるエラービットの数である。
【００７３】
そして、ＢＣＨデータ変換部２３０は、誤り訂正符号デコード処理で得られたコードのうち、最小のエラー数に対応するコードを埋め込みデータとして表示装置２０に出力する。図１５の例では、候補誤り訂正部号用コードＣＥ1’、ＣＥ6’のエラー数が最も少なく、共にコードが「１０１０１１０１０１００１０１」であるため、この「１０１０１１０１０１００１０１」が、表示装置２０に出力される埋め込みデータとなる。
【００７４】
次に、生地製品１の使い方について、図２を用いて簡単に説明する。前述した情報コード付きタオル１Ａ、情報コード付きＴシャツ１Ｂ、情報コード付きトートバッグ１Ｃ、情報コード付き手拭い１Ｄ、情報コード付き膝掛け１Ｅ（生地製品１）に対し、情報コード６を読み込む上で、図２に示すように、携帯型端末７が用いられる。携帯型端末７は、通信により、動画の再生や、Ｗｅｂサイトにアクセス可能であると共に、所定の機能を有したアプリケーションプログラムをインストール可能に構成された一般的なスマートフォンや、タブレット型端末等である。携帯型端末７は、コードリーダとして、情報コード６を読込み、識別可能な専用のアプリケーションプログラムを備えている。
【００７５】
前述したように、画像４には、情報コード６が、外部に対し、隠された状態で、原画５上に埋め込まれている。そのため、人が、図２に示すように、生地製品１の画像４に向けて携帯型端末７をかざすと、肉眼ＨＭで情報コード６を視認することなく、原画５のままの状態で、携帯型端末７が、原画５上の情報コード６を読み込む。これにより、生地製品１の使用者は、情報コード６に基づいて機能し、予め設定された動画を再生して視聴することや、Ｗｅｂコンテンツにアクセスして、必要な情報を入手することができる。
【００７６】
次に、本実施形態に係る生地製品の作用・効果について説明する。
【００７７】
本実施形態に係る生地製品１（１Ａ，１Ｂ，１Ｃ，１Ｄ，１Ｅ）は、日常生活に密接に関連する生活製品として、生地を用いてなり、印刷された画像４が付された生地製品において、当該生地製品１は、タオル、手拭い、膝掛け、Ｔシャツ、またはトートバッグのうち、いずれかに該当する製品であり、画像４には、情報を入手可能な情報コード６が、外部に対し、隠された状態で埋め込まれていること、情報コード６は、原画５の画像データを複数のブロックに分割し、分割された画像データからブロックペアを抽出し、抽出したブロックペアに隣接する左右のブロックから、平均濃度にかかわる最小値、最大値を検出し、検出した最小値と最大値との差、及び最小値を基にしてブロックペアへの情報の埋め込み強度を設定し、ブロックペアに隣接する左右のブロックの平均濃度を加算した濃度を２で割ったものから、埋め込み強度を２で割ったものを足したり引いたりすることで、ブロックペアを構成する各ブロックの濃度の変更量を算出し、算出した変更量によって、ブロックペアを構成する各ブロックの濃度を変更して情報を埋め込まれたものであること、を特徴とする。
【００７８】
この特徴により、生地製品１の使用者が、所有するスマートフォン等、携帯型端末７にある専用コードリーダを、画像４にかざして情報コード６を読み込むだけで、Ｗｅｂサイト上のコンテンツや、予め設定登録した動画等の情報を、簡単に入手することができる。そのため、生地製品１は、使用者にとって、使用する上で、必要な情報を手軽に入手できる機能や、使用者に娯楽性を供する機能等を有するようになることから、製品ベースとなる製品本体部２単体に比べて、付加価値を高めた製品となり得る。
【００７９】
特に、生地製品１がタオルの場合、情報コード６が、画像４に埋め込まれているため、使用者が、Ｗｅｂサイト上のコンテンツや、予め設定登録した動画等の情報を入手するにあたり、背景技術で前述したように、ＱＲコードを付すためだけのタグは、不要である。そのため、生地製品１では、ＱＲコード付きのタグによる皮膚への接触も全くないため、皮膚へのタグの接触を嫌う使用者にとっても、不快感なく、生地製品１を使用することができ、生地製品１の使い勝手も良い。また、情報コード６は、原画５の画像データと共に処理して、画像４に埋め込まれているため、ＱＲコードのように、コード特有の模様が外部に露出することなく、生地製品１の使用者等には、情報コード６が視認されることもない。そのため、生地製品１に情報コード６が付されていても、生地製品１自体の見栄えに影響を与えることはなく、情報コード６の存在に起因して、外観上、生地製品１の価値を低下させることもない。また、生地製品１では、洗濯によって、画像４が完全に消失、あるいは、極度に色落ちしない限り、情報コード６は、画像４上に保持されたままである。
【００８０】
従って、本実施形態に係る生地製品１によれば、主として、タオル、手拭い、膝掛け、Ｔシャツ、トートバッグ等、生地を用いてなる生地製品１を対象に、製品の使い勝手や製品価値を損なうことなく、Ｗｅｂサイトの情報を入手することができる、という優れた効果を奏する。
【００８１】
また、本実施形態に係る生地製品１では、画像４は、四角枠に収めた態様で形成されていること、を特徴とする。
【００８２】
この特徴により、携帯型端末７にある専用コードリーダでは、画像４上の情報コード６を、より確実に読み込むことができる。
【００８３】
また、本実施形態に係る生地製品１では、画像４は、インクジェットプリント、または転写プリントにより、施されていること、を特徴とする。
【００８４】
この特徴により、生地３の素材が繊維類である場合にも、情報コード６を埋め込んだ画像４を、生地３に直接印刷することが可能になる。
【００８５】
以上において、本考案を実施形態の実施例１〜５に即して説明したが、本考案は上記実施形態の実施例１〜５に限定されるものではなく、その要旨を逸脱しない範囲で、適宜変更して適用できる。
【００８６】
（１）例えば、実施例１に係る生地製品１では、図１に示すように、生地３に画像４を印刷した情報コード付きタオル１Ａを挙げたが、原画５に情報コード６を埋め込んだ画像４は、情報コード付きタオル１Ａ等の包装資材に付されていても良い。
【００８７】
具体的に説明する。図１６は、参考形態として、情報コードを埋め込んだ画像が、包装資材に付されたタオルセットのパッケージを示す図である。贈答品や引き出物、ノベルティー等として、タオルを取り扱う場合には、タオルは、図１６に例示するようなタオルセット８の形態で、包装容器にパッケージされることがある。タオルセット８は、実施例１に係る情報コード付きタオル１Ａ（図１参照）を、包装容器に箱詰めされ、この包装容器に取り付けた包装資材９の表面には、画像４が印刷されている。あるいは、本考案の生地製品に該当しないが、画像４のないタオル本体部２Ａを収容したタオルセット８でも、包装資材９の表面に、画像４が印刷されている。
【００８８】
タオルセット８を受け取った人が、携帯型端末７で画像４の情報コード６を読み取ると、例えば、タオル本体部２Ａの特徴や手入れ方法、製造者や販売者からの情報等、種々の情報を、別途説明書を添えることなく、Ｗｅｂサイトや動画を通じて入手することができる。また、情報コード付きタオル１Ａがタオルセット８に収容されている場合、受取人が、包装資材９に施された画像４の情報コード６を読み取ると、この情報コード６より、例えば、タオルセット８の送り主から受取人へのメッセージや映像等を、入手することができる。
【００８９】
（２）また、実施例１に係る情報コード付きタオル１Ａでは、タオル本体部２Ａ（製品本体部２）を、ハンドタオルとした。しかしながら、生地製品がタオルの場合、タオルの種類は、例示したハンドタオルに限定されるものではなく、ハンドタオル以外にも、例えば、フェイスタオル、ハンカチタオル、ウォッシュタオル、バスタオル、スポーツタオル、マフラータオル等、種々変更可能である。但し、タオルの種類によっては、画像が直接印刷できない生地もあるため、この場合には、前述したように、生地製品の生地に設けた被印刷媒体に、画像が印刷されていても良い。
【００９０】
（３）また、実施例１〜５に係る生地製品１では、図２に示すように、画像４単体だけを、生地３に印刷して設けた。しかしながら、本考案に係る生地製品は、例えば、生地に施された色彩、デザイン、図柄等の装飾内の一部分等に、四角枠状に収まる態様で形成した画像を設けても良く、印刷された画像において、情報コードが、原画上に四角枠に収まる態様で形成されていれば、生地製品に示す画像の配置形態は、適宜変更可能である。
【符号の説明】
【００９１】
１  生地製品
１Ａ  情報コード付きタオル、タオル（生地製品、タオル）
１Ｂ  情報コード付きＴシャツ、Ｔシャツ（生地製品、Ｔシャツ）
１Ｃ  情報コード付きトートバッグ、トートバッグ（生地製品、トートバッグ）
１Ｄ  情報コード付き手拭い、手拭い（生地製品、手拭い）
１Ｅ  情報コード付き膝掛け、膝掛け（生地製品、膝掛け）
４  画像
６  情報コード
【図１】
0003227985.tif 000003
【図２】
0003227985.tif 000004
【図３】
0003227985.tif 000005
【図４】
0003227985.tif 000006
【図５】
0003227985.tif 000007
【図６】
0003227985.tif 000008
【図７】
0003227985.tif 000009
【図８】
0003227985.tif 000010
【図９】
0003227985.tif 000011
【図１０】
0003227985.tif 000012
【図１１】
0003227985.tif 000013
【図１２】
0003227985.tif 000014
【図１３】
0003227985.tif 000015
【図１４】
0003227985.tif 000016
【図１５】
0003227985.tif 000017
【図１６】
0003227985.tif 000018
【手続補正書】
【提出日】令和2年7月2日(2020.7.2)
【手続補正１】
【補正対象書類名】実用新案登録請求の範囲
【補正対象項目名】全文
【補正方法】変更
【補正の内容】
【実用新案登録請求の範囲】
【請求項１】
日常生活に密接に関連する生活製品として、生地を用いてなり、２つの面を有するタオル、手拭い、または膝掛けを対象に、前記２つの面のうち、１つの前記面に、印刷された画像が付された生地製品、あるいは、外側に位置する外側面と、前記外側面の反対側にある内側に位置する内側面を有するＴシャツ、またはトートバッグを対象に、前記外側面に、印刷された画像が付された生地製品において、
前記画像には、情報を入手可能な情報コードが、外部に対し、隠された状態で埋め込まれていること、
前記情報コードは、前記画像の画像データを複数のブロックに分割し、前記分割された画像データからブロックペアを抽出し、前記抽出したブロックペアに隣接する左右のブロックから、平均濃度にかかわる最小値と最大値を検出し、前記検出した最小値と最大値との差、及び最小値を基にして前記ブロックペアへの情報の埋め込み強度を設定し、前記ブロックペアに隣接する左右のブロックの平均濃度を加算した濃度を２で割ったものから、前記埋め込み強度を２で割ったものを足したり引いたりすることで、前記ブロックペアを構成する各ブロックの濃度の変更量を算出し、前記算出した変更量により、前記ブロックペアを構成する各ブロックの濃度を変更して情報を埋め込まれたものであること、
を特徴とする生地製品。
【請求項２】
請求項１に記載する生地製品において、
前記画像は、四角枠に収めた態様で形成されていること、
を特徴とする生地製品。
【請求項３】
請求項１または請求項２に記載する生地製品において、
前記画像は、インクジェットプリント、または転写プリントにより、施されていること、
を特徴とする生地製品。